(57)【要約】      （修正有）【課題】カットアウト装置に内蔵するリード線付きヒューズのリード線を緊張状態にして行うヒューズ取付作業を、容易にする工具を得る。【解決手段】ヒューズ装置の弾性受け部に係止する第１係止部２が設けられるとともに、ヒューズ装置の張力付与部に係止する第２係止部３が設けられ、ヒューズ装置の弾性受け部と、前記張力付与部とが所定の隙間を形成した状態で、ヒューズ装置の弾性部材が蓄勢されるように、第１係止部２が前記弾性受け部に係止し、第２係止部３が前記張力付与部に係止するように構成する。【選択図】図１
2015038816.tif 000002
【特許請求の範囲】
【請求項１】
筒体、該筒体の一端部に設けられる端子、該端子に電気的に接続されるとともに、筒体他端部から導出されるリード線により構成されるヒューズが、前記リード線を他端側の開口部から外部に引き出した状態で収容される筒状の収容部と、
該収容部の一端側の開口部を閉塞するように設けられ、前記ヒューズの端子に電気的に接続される一方の電極部と、
前記収容部に固定されるとともに、弾性部材が設けられる弾性受け部と、
前記収容部に対して移動自在に設けられるとともに、前記弾性部材の放勢力によって弾性受け部から離間する方向に付勢される張力付与部と、
前記収容部または前記張力付与部に設けられ、前記弾性部材が蓄勢された状態の張力付与部に引っ掛けられた前記リード線が電気的に接続される他方の電極部とを有するヒューズ装置に、前記ヒューズを取り付ける際に使用されるヒューズ取付用工具において、
前記弾性受け部に係止する第１係止部が設けられるとともに、前記張力付与部に係止する第２係止部が設けられ、前記弾性受け部と前記張力付与部とが所定の隙間を形成した状態で、前記弾性部材が蓄勢されるように、第１係止部が前記弾性受け部に係止し、第２係止部が前記張力付与部に係止するように構成されることを特徴とするヒューズ取付用工具。
【請求項２】
前記他方の電極部が前記収容部に設けられる第１のヒューズ装置に適用される第１のヒューズ取付用工具と、前記他方の電極部が前記張力付与部に設けられる第２のヒューズ装置に適用される第２のヒューズ取付用工具とが一体的に構成されることを特徴とする請求項１に記載のヒューズ取付用工具。
【請求項３】
三相配電線のうち、前記ヒューズが前記ヒューズ装置を介していずれの相に電気的に接続されるのかを視認できるように、接続される相の名称が表面に表示されることを特徴とする請求項１または２に記載のヒューズ取付用工具。
【請求項４】
前記第１係止部および前記第２係止部は、先端部が、該先端に向かうにしたがって大きく開口するように折り曲げられて形成されることを特徴とする請求項１乃至３のいずれか１項に記載のヒューズ取付用工具。
【請求項５】
折り曲げられた前記第１係止部および前記第２係止部の先端部の対向面には、張力付与部の外面および内面、もしくは、弾性受け部の外面および内面に対応した係止面が形成されることを特徴とする請求項４に記載のヒューズ取付用工具。
【発明の詳細な説明】
【技術分野】
【０００１】
本発明は、過電流が発生した場合に、負荷側に対して、回路を遮断する過電流保護装置（例えば、カットアウト装置）に内設されるヒューズ装置に、リード線付きヒューズ（以下、単にヒューズという場合もある。）のリード線を緊張状態にロックしてセットするためのヒューズ取付用工具に関する。
【背景技術】
【０００２】
商用電源側電線には、負荷装置に応じた電圧を供給するために変圧器が設置されている。この変圧器の商用電源側には、落雷や電路の短絡等により発生した過電流を遮断して負荷装置を保護するための過電流保護装置が設けられているのが一般的である。
【０００３】
過電流保護装置としては、例えば、図１０に示す箱型のカットアウト装置５０や、図１２に示す円筒型のカットアウト装置８０が多用されている（特許文献１，２参照）。そして、これらカットアウト装置５０，８０には、それぞれに対応した図１１および図１３に示すヒューズ装置６０，９０が内設されている。いずれのヒューズ装置６０，９０にも、前記過電流を遮断する具体的な手段として、リード線７２を溶断できるように、リード線付きヒューズ７０がセットされている（図１１（ａ）および図１３（ｂ）参照）。いずれのヒューズ装置６０，９０も、ヒューズ７０のリード線７２を遮断することで、電源側と負荷側との電気的導通を遮断して、負荷側装置を保護するように構成されている。
【０００４】
箱型のカットアウト装置５０は、図１０に示すように、一面側が開放された箱型に形成されている磁器製の本体部５１と、この本体部５１の開放面を閉塞可能な蓋状に形成された磁器製の蓋体部５２とを有している。
【０００５】
本体部５１は、取付金具１００により、図示しない電柱の変圧器の近傍に設置されている。そして、本体部５１は、商用電源の配電線から分岐させた引き下げ線を接続する電源接続部５１０と、前記変圧器からの電線を接続する負荷接続部５１１とを備えている。
【０００６】
蓋体部５２は、本体部５１の開放面の一側辺側に設けられた回動軸５２ａにより回動自在に連結軸支されている。また、本体部５１の電源接続部５１０および負荷接続部５１１に導通刃６２，６２を導通接触させて電力供給を確保するとともに、過電流が発生した場合に、該過電流を遮断するヒューズ装置６０を着脱できるようになっている。
【０００７】
なお、図中の符号５３は、負荷接続部５１１に一端を導通接続させているバリスタ（ＺｎＯ２）素子である。また、図中の符号５４は、対向電極プレートである。該対向電極プレート５４は、取付金具１００に導通するとともに、バリスタ素子５３の他端部の端子との間にエアーギャップを形成し、配電線に落雷等があった場合に、バリスタ素子５３との間で放電を発生させて落雷を地面に逃がすとともに、その放電電圧をバリスタ素子５３により高く維持して商用電源からの電力により続流が生じることを防止する。
【０００８】
ヒューズ装置６０は、図１１（ａ）〜（ｃ）に示すように、筒状の収容部６１と、該収容部６１の周面に、収容部６１の長さ方向に対して直交方向に取り付けられ、後述するリード線付きヒューズ７０によって導通される一対の導通刃６２，６２と、収容部６１の一端側の開口部６１ａを閉塞するように設けられ、ヒューズ７０の端子７１に電気的に接続される一方の電極部６３と、収容部６１の先端部に、ヒューズ７０のリード線７２に対して張力を付与する弾性部材６５が内設される、収容部６１よりも大径の弾性受け部６４と、該弾性受け部６４に対して進退自在に遊挿される円筒状の張力付与部６６と、収容部６１に設けられ、弾性部材６５が蓄勢された状態の張力付与部６６に引っ掛けられた、ヒューズ７０のリード線７２が電気的に接続される他方の電極部６７とを備えている。そして、張力付与部６６は、先端部が斜めに切断され、楕円形状の開口部６６ａが形成されている。この開口部６６ａから後述するヒューズのリード線が引き出される。また、開口部６６ａは、楕円形状であることから、短軸方向に低部６６ｂが形成され、長軸方向に高部６６ｃが形成されている。そして、張力付与部６６の低部６６ｂは、導電刃６２，６２側に位置し、高部６６ｃは、導電刃６２，６２とは反対側に位置している。また、低部６６ｂには、軸線に平行して切欠き溝が形成されている。
【０００９】
弾性受け部６４は、収容部６１の側面に固装された小径部６４ａと、収容部６１に外装された弾性部材（圧縮スプリング）１８が内設される大径部６４ｂとを有している。そして、小径部６４ａと大径部６４ｂとの境界部に段部６４ｃが形成されている。そして、張力付与部６６は、弾性部材６５により進出方向に常時付勢されている。
【００１０】
収容部６１の他端側の端部には、収容部６１の軸孔６１ｂと連通する連通孔６１ｃが形成された略環状の導通部材６１０が取り付けられている。そして、この導通部材６１０に導通刃６２，６２が導通接続されるとともに、連通孔６１ｃの開口端がキャップ６１１によって閉塞されている。また、弾性受け部６４の側面には、導通刃６２，６２に導通接続される導電板６１２が取り付けられている。該導通板６１２には、締付座金６１３に挿通された締付ねじ６１４が螺合している。そして、ヒューズ７０のリード線７２が締付座金６１３および締付ねじ６１４によってねじ止めされる。
【００１１】
リード線付きヒューズ７０は、図１１（ａ）に示すように、筒体７０ａと、該筒体７０ａの一端部の開口部を閉塞するように設けられる端子７１と、該端子７１に電気的に接続されるとともに、筒体７０ａの他端部の開口部から導出されるリード線７２とを備えている。そして、ヒューズ７０は、ヒューズ装置６０のキャップ６１１を外して，収容部６１の軸孔６１ｂに差し込まれる。この際、図１１（ｃ）に示すように、ヒューズ７０の端子７１が、導通部材６１０の開口端周縁とキャップ６１１との間に挟み込まれることで、導通刃６２，６２に電気的に接続される。また、ヒューズ７０のリード線７２は、収容部６１の軸孔６１ｂを介して張力付与部６６の開口部６６ａから外部に引き出されている。そして、引き出されたヒューズ７０のリード線７２は、張力付与部６６の低部６６ｂの切欠き溝６６ｄに引っ掛けられて折り返され、弾性部材６５を圧縮（蓄勢）しつつ、導通板６１２にねじ止めされる。このため、ねじ止めされたヒューズ７０のリード線７２は、圧縮された弾性部材６５により張力が付与されて、緊張状態にロックされる。一方、本体部５１の開放面側が蓋体部５２で閉じられた場合は、それぞれの導通刃６２，６２が、ヒューズ７０の端子７１およびリード線７２によって導通接続される。
【００１２】
そして、図１０に示す箱形のカットアウト装置５０は、落雷や電路の短絡等により変圧器容量を超える過電流が発生した場合、緊張状態にロックされた、ヒューズ装置６０のヒューズ７０のリード線７２が、過電流により溶断されて、前記ロックが解除される。すなわち、張力付与部６６が弾性部材６５の放勢力によって、弾性受け部６４から離間する方向へ移動する。これにより、電源接続部５１０と負荷接続部５１１との間の導通が遮断され、落雷や電路の短絡等による過電流から負荷装置が保護される。
【００１３】
また、図１２に示す円筒型のカットアウト装置８０は、本体碍子８１に、後述するヒューズ装置９０が着脱可能に装着される。該ヒューズ装置９０は、図１３（ａ）および図１４（ａ），（ｂ）に示すように、絶縁体からなる筒状の収容部９１と、該収容部９１の上部に導電性キャップ９２を介して螺合される上部電極９３と、収容部９１の中途部に軸方向に移動可能に外挿された下部電極としての張力付与部９４と、収容部９１の下端に螺合され、張力付与部９４に対向する面に環状の弾性受け座９５ａが形成される表示筒としての弾性受け部９５と、張力付与部９４と弾性受け部９５との間の収容部９１に外挿され、張力付与部９５が弾性受け部９５から離間する方向に弾性付勢する弾性部材９６とを備えている。そして、図１３（ｂ）に示すリード線付きヒューズ７０が未装着時には、弾性部材９６の放勢力によって、張力付与部９４が収容部９１の上方へ向かって弾性付勢され、収容部９１の中途部に形成された係止段部９１ａに当接される。そして、張力付与部９４は、ヒューズ７０のリード線７２をねじ止めする締め付けねじ９４ａが螺合している。また、弾性受け部９５は、円筒状を呈しており、先端部の開口部９５ｂから、ヒューズ７０のリード線７２が引き出される。また、開口部９５ｂには、軸線に平行して切欠き溝９５ｃが形成されている。該切欠き溝９５ｃには、引き出されたヒューズ７０のリード線７２が引っ掛けられて折り返される。
【００１４】
そして、収容部９１の軸孔９１ｂにヒューズ７０を装填する場合は、まず、導電性キャップ９２に螺合された上部電極９３を外して、図１３（ａ）に示すように、ヒューズ７０の端子７１を、導電性キャップ９２と上部電極９３との間に挟み込んで、ヒューズ７０の端子７１と上部電極９３とを電気的に接続する。つぎに、ヒューズ７０のリード線７２を、収容部９１の軸孔９１ｂを介して弾性受け部９５の開口部９５ｂから引き出す。さらに、図１４（ａ）に示すように、引き出したリード線７２を、弾性受け部９５の切欠き溝９５ｃに引っ掛けて折り返し、弾性部材９６を圧縮状態（蓄勢状態）にしつつ、下部電極としての張力付与部９４にねじ止めする（図１４（ｂ）参照）。これにより、上部電極９３と、下部電極としての張力付与部９４とが、ヒューズ７０によって導通接続される。
【００１５】
この際、ねじ止めされたヒューズ７０のリード線７２は、蓄勢された弾性部材９６によって張力が付与されて、緊張状態にロックされる一方、弾性受け部９５は、蓄勢された弾性部材９６の弾性力により、張力付与部９４に対して離間する方向に付勢された状態で保持される（逆に、張力付与部９４は、蓄勢された弾性部材９６の弾性力により弾性受け部９５に対して離間する方向に付勢された状態で保持される）。
【００１６】
そして、ヒューズ７０をセットしたヒューズ装置９０が本体碍子８１に装着されることで、ヒューズ装置９０の上部電極９３および下部電極としての張力付与部９４は、各々本体碍子８１に内設された上部固定電極８２および下部固定電極８３と電気的に接続される。
【００１７】
そして、図１２に示す円筒型のカットアウト装置８０は、落雷や電路の短絡等により変圧器容量を超える過電流が発生した場合、緊張状態にロックされた、ヒューズ装置９０のヒューズ７０のリード線７２が、過電流により溶断されて、前記ロックが解除される。すなわち、弾性部材９６の放勢力により、弾性受け部９５および収容部９１が張力付与部９４から離間する下方向に移動し、これに伴い、カットアウト装置８０の上部固定電極８２から、ヒューズ装置９０の上部電極９３が外れる。これにより、電源接続部５と負荷接続部６との電気的導通が遮断され、落雷や電路の短絡等による過電流から負荷装置が保護される。一方、本体碍子８１の下端に設けられたはかま部材８４に装着されている密閉栓８５に、ヒューズ装置９０の弾性受け部（表示筒）９５が衝突して外部に露出する。これにより、カットアウト装置８０のヒューズ７０が溶断したことが外部に報知される。この際、ヒューズ装置９０の張力付与部９４に対する収容部９１の下方側への移動は、ヒューズ装置９０の収容部９１の係止段部９１ａに張力付与部９４が当接することにより規制される。
【先行技術文献】
【特許文献】
【００１８】
【特許文献１】特開２００６−１１４２３１号公報
【特許文献２】特開平１０−２６９９２６号公報
【発明の概要】
【発明が解決しようとする課題】
【００１９】
前記いずれのカットアウト装置５０，８０に内設されるヒューズ装置６０，９０も、過電流が発生した場合に、電源側と負荷側との電気的導通を遮断できるように、リード線付きヒューズ７０のリード線７２を緊張状態にロックする必要がある。すなわち、ヒューズ装置６０，９０の弾性部材６５，９６を確実に圧縮した状態にロックした上で、ヒューズ７０のリード線７２をねじ止めする必要がある。
【００２０】
実際のヒューズ取付作業において、作業者は、いずれのヒューズ装置６０，９０に対しても、一方の手で、張力付与部６６，９４を介して弾性部材６５，９６を圧縮しつつ、他方の手で、ヒューズ７０のリード線７２を、弾性部材６５，９６の抗力を受けている張力付与部６６，９４に引っ掛けて、電極部６７，電極部としての張力付与部９４にねじ止めしている。この作業は、弾性部材６５，９６の抗力を受けている張力付与部６６，９４を、人力では所定の位置に固定できないため、非常にやりにくく、ヒューズ７０のリード線７２に対する張力にばらつきが生じることになる。場合によっては、ねじ止めしたヒューズ７０のリード線７２に十分な張力が付与されず、ヒューズ７０の溶断時の遮断不良やカットアウト装置５０，８０への装着時の接触不良を誘発する恐れがある。
【００２１】
そこで、本発明は、前記問題に鑑み、ヒューズ装置に対するヒューズの取付作業を容易にできて、ヒューズのリード線に対する張力を均一化できるヒューズ取付用工具を提供することを目的とする。
【課題を解決するための手段】
【００２２】
前記課題を解決するために、本発明に係るヒューズ取付用工具は、筒体、該筒体の一端部に設けられる端子、該端子に電気的に接続されるとともに、筒体他端部から導出されるリード線により構成されるヒューズが、前記リード線を他端側の開口部から外部に引き出した状態で収容される筒状の収容部と、該収容部の一端側の開口部を閉塞するように設けられ、前記ヒューズの端子に電気的に接続される一方の電極部と、前記収容部に固定されるとともに、弾性部材が設けられる弾性受け部と、前記収容部に対して移動自在に設けられるとともに、前記弾性部材の放勢力によって弾性受け部から離間する方向に付勢される張力付与部と、前記収容部または前記張力付与部に設けられ、前記弾性部材が蓄勢された状態の張力付与部に引っ掛けられた前記リード線が電気的に接続される他方の電極部とを有するヒューズ装置に、前記ヒューズを取り付ける際に使用されるヒューズ取付工具において、前記弾性受け部に係止する第１係止部が設けられるとともに、前記張力付与部に係止する第２係止部が設けられ、前記弾性受け部と前記張力付与部とが所定の隙間を形成した状態で、前記弾性部材が蓄勢されるように、第１係止部が前記弾性受け部に係止し、第２係止部が前記張力付与部に係止するように構成されることを特徴とする。
【００２３】
かかる構成によれば、第１係止部が弾性受け部に係止し、第２係止部が張力付与部に係止することで、弾性部材が蓄勢される変位位置で張力付与部が機械的に保持される。したがって、ヒューズのリード線を、弾性部材が蓄勢状態の張力付与部に容易に引っ掛けることができる。そして、引っ掛けたリード線をヒューズ装置の他方の電極に接続するだけでよく、ヒューズ装置に対するヒューズの取り付けが極めて容易になる。また、弾性受け部と張力付与部との間に、所定の隙間が形成されるので、ヒューズ自体の熱収縮によって、リード線が切断されることが防止することができるとともに、ヒューズのリード線に対する張力を一定にすることができる。
【００２４】
また、本発明によれば、前記他方の電極部が前記収容部に設けられる第１のヒューズ装置に適用される第１のヒューズ取付用工具と、前記他方の電極部が前記張力付与部に設けられる第２のヒューズ装置に適用される第２のヒューズ取付用工具とが一体的に構成されるようにしてもよい。
【００２５】
かかる構成によれば、前記他方の電極部が前記収容部に設けられるヒューズ装置、および、前記他方の電極部が前記張力付与部に設けられるヒューズ装置のいずれにも適用できるので、便利である。
【００２６】
また、本発明によれば、三相配電線のうち、前記ヒューズが前記ヒューズ装置を介していずれの相に電気的に接続されるのかを視認できるように、接続される相の名称が表面に表示されるような構成を採用することもできる。
【００２７】
かかる構成によれば、接続されるべき配電線の相に、ヒューズを間違いなく接続することができる。
【００２８】
また、本発明によれば、前記第１係止部および前記第２係止部は、先端部が、該先端に向かうにしたがって大きく開口するように折り曲げられて形成されるような構成を採用するともできる。
【００２９】
かかる構成によれば、第１係止部および第２係止部が、張力付与部および弾性受け部に係止しやすくなる。
【００３０】
また、本発明によれば、折り曲げられた前記第１係止部および前記第２係止部の先端部の対向面には、張力付与部の外面および内面、もしくは、弾性受け部の外面および内面に対応した係止面が形成されるような構成を採用することもできる。
【００３１】
かかる構成によれば、折り曲げられた前記第１係止部および前記第２係止部の先端部の対向面に、張力付与部の外面および内面、もしくは、弾性受け部の外面および内面に対応した係止面が形成されることで、張力付与部もしくは弾性受け部に対してより一層係止しやすくなる。
【発明の効果】
【００３２】
本発明によれば、ヒューズ装置の弾性部材を蓄勢した状態に機械的にロックできるので、ヒューズ装置に対するヒューズの取付作業を容易に行うことができるとともに、ヒューズのリード線に対する張力を均一化することができる。
【図面の簡単な説明】
【００３３】
【図１】本発明の一実施形態に係るヒューズ取付用工具を示す斜視図。
【図２】同実施形態に係る第１のヒューズ取付工具を、箱型の過電流保護装置（カットアウト装置）に内設されるヒューズ装置に取り付ける状態を示す斜視図。
【図３】同実施形態に係る第１のヒューズ取付工具の第１係止部を、前記ヒューズ装置の収容部に係止させる状態を示す斜視図。
【図４】同実施形態に係る第１のヒューズ取付工具の第２係止部を、前記ヒューズ装置の張力付与部の低部位に係止させる状態を示す斜視図。
【図５】前記ヒューズ装置の張力付与部を回転させて、張力付与部の位置を低部位から高部位に変移させて、同実施形態に係る第１のヒューズ取付工具の第２係止部を、前記ヒューズ装置の張力付与部の高部位に係止させる状態を示す斜視図。
【図６】前記ヒューズ装置の張力付与部から引き出されたリード線を、前記ヒューズ装置の張力付与部に引っ掛けて折り返す状態を示す斜視図。
【図７】同実施形態に係る第１のヒューズ取付工具の張力付与部から引き出されたリード線を、前記ヒューズ装置の電極部に接続する状態を示す斜視図。
【図８】同実施形態に係る第２のヒューズ取付工具を、円筒型の過電流保護装置（カットアウト装置）に内設されるヒューズ装置に取り付けた状態を示す斜視図。
【図９】前記過電流保護装置の張力付与部から引き出されたリード線を張力付与部に引っ掛けて折り返して、前記過電流保護装置の電極部に接続した状態を示す斜視図。
【図１０】（ａ），（ｂ）は、箱型の過電流保護装置（カットアウト装置）を示す図。
【図１１】（ａ）〜（ｃ）は、箱型の過電流保護装置に内設されるヒューズ装置に、ヒューズを取り付けた状態を示す図。
【図１２】円筒型の過電流保護装置（カットアウト装置）を示す斜視図。
【図１３】（ａ），（ｂ）は、円筒型の過電流保護装置に内設されるヒューズ装置、および、ヒューズを示す図。
【図１４】（ａ），（ｂ）は、前記ヒューズ装置にヒューズを取り付けた状態を示す図。
【発明を実施するための形態】
【００３４】
本発明に係るヒューズ取付用工具の一実施形態について、図１〜図９を参照して説明する。なお、図１０に示す箱型のカットアウト装置５０と、該カットアウト装置５０に内設される、図１１に示す第１のヒューズ装置（以下、単にヒューズ装置いう場合がある。）６０と、図１２に示す円筒型のカットアウト装置８０と、該カットアウト装置８０に内設される、図１４に示す第２のヒューズ装置（以下、単にヒューズ装置いう場合がある。）９０と、図１１（ａ）および図１３（ｂ）に示すリード線付きヒューズ７０については、本実施形態においても同一構成のものを使用する。これらについては、前記背景技術において、その構成を説明しているので、本実施形態においては省略する。
【００３５】
本実施形態に係るヒューズ取付用工具１は、図１１に示す第１のヒューズ装置６０に適用される第１のヒューズ取付用工具１と、図１３および図１４に示す第２のヒューズ装置９０に適用される第２のヒューズ取付用工具５とが一体化されて構成されている。
【００３６】
第１のヒューズ取付用工具１は、図１に示すように、細長い板状部材１ａで構成されている。この板状部材１ａには、図１１に示すヒューズ装置６０における収容部６１の中途部（弾性受け部６４の段部６４ｃ）に係止される第１係止部２が一端部に設けられるとともに、ヒューズ装置６０の張力付与部６６に係止される第２係止部３が他端部に設けられている。
【００３７】
第１のヒューズ取付用工具１の第１係止部２は、ヒューズ装置６０の収容部６１の外周面に当接するように、外形が略五角形状に折り曲げられて形成されている。具体的には、収容部６１の直径よりもやや大きい幅寸法に設定される基部２ａと、該基部２ａの両端部から直角に折り曲げられて形成された一対の第１折曲部２ｂ，２ｂと、両第１折曲部２ｂ，２ｂの先端部が互いに近接するように、内側に向かって傾斜する一対の第２折曲部２ｃ，２ｃとを有している。そして、一対の第２折曲部間２ｃ，２ｃの間隔は、収容部６１の直径と略同一寸法になるように設定されている。したがって、第１係止部２の基部２ａの内面が、収容部６１の外周面の上側の頂部に当接するとともに、一対の第１折曲部２ｂ，２ｂの内面が、収容部６１の外周面の左右の頂部に当接し、一対の第２折曲部２ｃ，２ｃの内面が、前記左右の頂部の近傍に当接することになる。一方、第１係止部２の基部２ａの端面および第１折曲部２ｂ，２ｂの端面が、ヒューズ装置６０の弾性受け部材６４の段部６４ｃの端面に当接することになる。これらの当接によって、第１係止部２は、収容部６１に位置固定されることになる。
【００３８】
第１のヒューズ取付用工具１の第２係止部３は、板状部材１ａの先端部３ａが直角に折り曲げられて、その先端３ｂがさらに直角に折り曲げられて形成されている。そして、第２係止部３は、ヒューズ装置６０の弾性部材６５が蓄勢された状態の張力付与部６６の開口部６６ａに係止されるが、具体的には、ヒューズ装置６０の弾性受け部６４と張力付与部６６とが所定の隙間（例えば、２〜５ｍｍ）Ｈを形成した状態で、弾性部材６５が蓄勢されるように、第２係止部３が張力付与部６６に係止される。そして、第２係止部３が張力付与部６６に係止することによって、弾性部材６５の蓄勢状態がロックされることになる。
【００３９】
第２のヒューズ取付用工具５は、図１に示すように、細長い板状部材で構成されている。この板状部材は、水平部５ａと、該水平部５ａの中途部から所定の角度をもって折り曲げて形成される傾斜部５ｂとを有している。そして、水平部５ａの端部には、ヒューズ装置９０の下部電極としての張力付与部９４に係止される第１係止部６が設けられるとともに、傾斜部５ｂの端部には、ヒューズ装置９０の弾性受け部９５に係止される第２係止部７が設けられている。前記所定角度が形成されている理由としては、ヒューズ装置９０の大径の下部電極としての張力付与部９４に対して、弾性受け部９５が小径であることから、小径の弾性受け部９５に係止しやすくするためである。
【００４０】
そして、第２のヒューズ取付用工具５の水平部５ａの背面と、第１のヒューズ取付用工具１の板状部材１ａの第１係止部２側の背面とが固着されて一体化されている。また、第２のヒューズ取付用工具５の傾斜部５ｂは、第１のヒューズ取付工具１の第２係止部３に対して離間する方向に傾斜している。
【００４１】
また、第１のヒューズ取付用工具１の表面および第２のヒューズ取付用工具５の表面には、三相配電線のうち、ヒューズ７０がヒューズ装置６０，９０を介していずれの相（Ａ相、Ｂ相、Ｃ相）に電気的に接続されるのかを視認できるように、接続される相の名称（Ａ相、Ｂ相、Ｃ相）が表示されている（図示せず）。
【００４２】
第２のヒューズ取付用工具５の第１係止部６は、ヒューズ装置９０の弾性受け部９５の開口部９５ｂに係止しやすいように、先端部６ａが、該先端６ｂに向かうにしたがってやや大きく開口するように折り曲げられて形成されている。
【００４３】
第２のヒューズ取付用工具５の第２係止部７は、傾斜部５ｂから略直角に折り曲げられ折曲部７ａと、該折曲部７ａの先端部の中央部から延出された延出部７ｂが、該延出部７ｂの先端に向かうにしたがって大きく開口するように折り曲げられて形成されている。また、延出部７ｂの内面には、ヒューズ装置９０の張力付与部９４の内面に対応した係止面７ｃが形成されている。そして、第２係止部７は、ヒューズ装置９０の弾性受け部９５の開口部９５ｂに係止されるが、具体的には、ヒューズ装置９０の弾性受け部９５と張力付与部９４とが所定の隙間（例えば、２〜５ｍｍ）Ｈを形成した状態で、ヒューズ装置９０の弾性部材９６が蓄勢されるように係止される。そして、第２係止部７がヒューズ装置９０の弾性受け部９５の開口部９５ｂ張力付与部９４に係止することによって、ヒューズ装置９０の弾性部材９６の蓄勢状態がロックされることになる。
【００４４】
なお、ヒューズ装置６０の弾性受け部６４と張力付与部６６とが所定の隙間（例えば、２〜５ｍｍ）Ｈを形成した状態で、弾性部材６５を蓄勢する理由としては、ヒューズ７０が、ヒューズ７０自体の熱収縮によって溶断しないようにするためである。
【００４５】
つぎに使用態様について図２〜図９を参照して説明する。まず、図１１に示すヒューズ装置６０に、リード線付きヒューズ７０をセットする場合は、ヒューズ７０の端子７１が導通部材６１０の開口端に位置するまで、ヒューズ７０をヒューズ装置６０の軸孔６１ｂに挿入し、ヒューズ７０の端子７１を、ヒューズ装置６０のキャップ６１１によって締め付けて、ヒューズ７０をヒューズ装置６０に固定する一方、ヒューズ７０のリード線７２を、ヒューズ装置６０の張力付与部６６の開口部６６ａから引き出す。この際、ヒューズ装置６０の張力付与部６６の開口部６６ａの高部６６ｃが導電刃６２，６２の反対側に位置するとともに、低部６６ｂが導電刃６２，６２側に位置しているものとする（図２参照）。
【００４６】
つぎに、図３に示すように、第１のヒューズ取付用工具１の第１係止部２を、ヒューズ装置６０の導電板６１２の近傍の収容部６１の外周面に位置させ、図４に示すように、第１のヒューズ取付用工具１の第１係止部２を、ヒューズ装置６０の導電板６１２の締め付けねじ６１３の近傍にある、収容部６１の外周面に当接させるとともに、第１のヒューズ取付工具１の板状部材１ａをヒューズ装置６０の弾性受け部６４の段部６４ｃに当接させる。
【００４７】
この際、図４に示すように、一方の手で、ヒューズ装置６０の張力付与部６６を回転させて、張力付与部６６の開口部６６ａの低部６６ｂを、第１のヒューズ取付用工具１の第１係止部２の近傍に位置させる。そして、弾性部材６５を圧縮する方向、すなわち、張力付与部６６を弾性受け部６４に押し込む方向に移動させて、第１のヒューズ取付用工具１の第２係止部３を、ヒューズ装置６０の張力付与部６６の低部６６ｂに係止させる。
【００４８】
つぎに、図５に示すように、第１のヒューズ取付用工具１の第２係止部３が、ヒューズ装置６０の張力付与部６６の高部６６ｃに係止するように、張力付与部６６を周方向に回転させる。すなわち、ヒューズ装置６０張力付与部６６の高部６６ｃが、導電刃６２，６２とは反対側に位置することになる。この状態（図２に戻した状態）で、図６に示すように、締め付けねじ６１４を緩めて、ヒューズ７０のリード線７２を、張力付与部６６の切欠き溝６６ｄ側に折り曲げる。そして、図７に示すように、ヒューズ７０のリード線７２を、張力付与部６６の切欠き溝６６ｄに引っ掛けて折り返し、ヒューズ７０のリード線７２を引っ張った状態にしつつ、締め付けねじ６１４に巻き付けて、締め付けねじ６１４を締め付けて他方の電極部６７にねじ止めする。
【００４９】
これにより、ヒューズ７０のリード線７２に張力が付与された状態、すなわち、過電流が発生した際に遮断できる状態にセットできることになる。
【００５０】
つぎに、図１４に示す円筒型のヒューズ装置９０に、リード線付きヒューズ７０をセットする場合は、ヒューズ７０の端子７１が、ヒューズ装置９０の上部電極９３に接触するまで、ヒューズ７０を、ヒューズ装置９０の軸孔１５ａに挿入する一方、ヒューズ７０リード線７２を、ヒューズ装置９０の張力付与部９４の開口部９４ａから引き出す。
【００５１】
つぎに、図８に示すように、第２のヒューズ取付用工具５の第１係止部６を、ヒューズ装置９０の張力付与部９４の締め付けねじ９４ａがある位置とは異なる位置に係止させる。すなわち、締め付けねじのない張力付与部９４の部分に、第２のヒューズ取付用工具５の第１係止部６を係止させる。
【００５２】
つぎに、一方の手で、ヒューズ装置９０の弾性部材９６を圧縮する方向、すなわち、張力付与部９４を弾性受け部９５に近接する方向に移動させて、第２のヒューズ取付用工具５の第２係止部７を弾性受け部９５の開口部９５ｂに係止させる。
【００５３】
つぎに、図９に示すように、第２のヒューズ取付用工具５が、ヒューズ装置９０の張力付与部９４の締め付けねじ９４ａのある位置に対して反対側に位置するように、張力付与部９４を回転させる。この状態で、ヒューズ７０のリード線７２を、弾性受け部９５の切欠き溝９５ｃに引っ掛けて折り返し、ヒューズ７０のリード線７２を張設した状態にしつつ、締め付けねじ９４ａに巻き付けて、締め付けねじ９４ａを締め付けて、ヒューズ装置９０の下部電極としての張力付与部９４にねじ止めする。
【００５４】
これにより、ヒューズ７０のリード線７２に張力が付与された状態、すなわち、過電流が発生した際に遮断できる状態にセットできることになる。なお、この際も、上述したように、ヒューズ装置９０の弾性受け部９５と張力付与部９４とが所定の隙間（例えば、２〜５ｍｍ）Ｈを形成した状態で、弾性部材９６を蓄勢する（図９参照）。
【００５５】
このように、本実施形態に係るヒューズ取付用工具によれば、ヒューズ装置６０，９０の弾性部材６５，９６を蓄勢状態に機械的にロックすることができるので、過電流が発生した際に、電源側と負荷側と電気的導通を遮断できるように、ヒューズ装置６０，９０にリード線付きヒューズ７０を容易にセットすることができる。また、ヒューズ装置６０，９０の弾性部材６５，９６を蓄勢状態に機械的にロックできることから、ヒューズ７０のリード線７２に対する張力を均一化することができる。したがって、ヒューズ７０の溶断時の遮断不良および図１０および図１２に示すカットアウト装置への装着時の接触不良を防止することができる。
【００５６】
なお、本発明に係るヒューズ取付用工具は、前記実施の形態に限定することなく種々変更することができる。
【００５７】
例えば、前記実施形態の場合、弾性部材６５，９６として圧縮ばねを用いたが、引っ張りばねを用いてもよい。この場合、弾性部材６５，９６を引っ張った状態が、弾性部材６５，９６の蓄勢状態となる。
【００５８】
また、前記実施形態の場合、係止面７ｃを第２ヒューズ取付工具５の第２係止部７のみに形成するようにしたが、他の係止部３，６にも形成するようにしてもよい。
【符号の説明】
【００５９】
１，５…ヒューズ取付用工具、１ａ…板状部材、２…第１係止部、２ａ…基部、２ｂ…第１折曲部、２ｃ…第２折曲部、３…第２係止部、３ａ…先端部、３ｂ…先端、５ａ…水平部、５ｂ…傾斜部、６…第１係止部、６ａ…先端部、６ｂ…先端、７…第２係止部、７ａ…折曲部、７ｂ…延出部、７ｃ…係止面、１５ａ…軸孔、５０，８０…カットアウト装置、６０，９０…ヒューズ装置、６１，９１…収容部、６３，６７、９３，９５…電極部、６４，９５…弾性受け部、６５，９６…弾性部材、６６，９４…張力付与部、７０…ヒューズ、７１…端子、７２…リード線、８０…カットアウト装置、
【図１】
2015038816.tif 000003
【図２】
2015038816.tif 000004
【図３】
2015038816.tif 000005
【図４】
2015038816.tif 000006
【図５】
2015038816.tif 000007
【図６】
2015038816.tif 000008
【図７】
2015038816.tif 000009
【図８】
2015038816.tif 000010
【図９】
2015038816.tif 000011
【図１０】
2015038816.tif 000012
【図１１】
2015038816.tif 000013
【図１２】
2015038816.tif 000014
【図１３】
2015038816.tif 000015
【図１４】
2015038816.tif 000016
【手続補正書】
【提出日】平成26年3月17日(2014.3.17)
【手続補正１】
【補正対象書類名】特許請求の範囲
【補正対象項目名】全文
【補正方法】変更
【補正の内容】
【特許請求の範囲】
【請求項１】
筒体、該筒体の一端部に設けられる端子、該端子に電気的に接続されるとともに、筒体他端部から導出されるリード線により構成されるヒューズが、前記リード線を他端側の開口部から外部に引き出した状態で収容される筒状の収容部と、
該収容部の一端側の開口部を閉塞するように設けられ、前記ヒューズの端子に電気的に接続される一方の電極部と、
前記収容部に固定されるとともに、弾性部材が設けられる弾性受け部と、
前記収容部に対して移動自在に設けられるとともに、前記弾性部材の放勢力によって弾性受け部から離間する方向に付勢される筒状の張力付与部と、
前記収容部または前記張力付与部に設けられ、前記弾性部材が蓄勢された状態の張力付与部に引っ掛けられた前記リード線が電気的に接続される他方の電極部とを有するヒューズ装置に、前記ヒューズを取り付ける際に使用されるヒューズ取付用工具において、
前記弾性受け部に係止する第１係止部と、前記張力付与部に係止する第２係止部とが板状部材に連結され、
第１係止部は、一対の折曲部を有し、前記収容部の外周に着脱可能に構成されるとともに、一対の折曲部の離間した両先端から前記収容部が出し入れ可能に構成され、且つ前記収容部の外周を挟み込み可能に構成され、
第２係止部は、前記張力付与部の開口端縁に引っ掛け可能に折り返して形成されたことを特徴とするヒューズ取付用工具。
【請求項２】
筒体、該筒体の一端部に設けられる端子、該端子に電気的に接続されるとともに、筒体他端部から導出されるリード線により構成されるヒューズが、前記リード線を他端側の開口部から外部に引き出した状態で収容される筒状の収容部と、
該収容部の一端側の開口部を閉塞するように設けられ、前記ヒューズの端子に電気的に接続される一方の電極部と、
前記収容部に固定されるとともに、弾性部材が設けられる筒状の弾性受け部と、
前記収容部に対して移動自在に設けられるとともに、前記弾性部材の放勢力によって弾性受け部から離間する方向に付勢される筒状の張力付与部と、
前記収容部または前記張力付与部に設けられ、前記弾性部材が蓄勢された状態の張力付与部に引っ掛けられた前記リード線が電気的に接続される他方の電極部とを有するヒューズ装置に、前記ヒューズを取り付ける際に使用されるヒューズ取付用工具において、
前記弾性受け部に係止する第１係止部と、前記張力付与部に係止する第２係止部とが板状部材に連結された第１のヒューズ取付用工具であって、
第１係止部は、一対の折曲部を有し、前記収容部の外周に着脱可能に構成されるとともに、一対の折曲部の離間した両先端から前記収容部が出し入れ可能に構成され、且つ前記収容部の外周を挟み込み可能に構成され、
第２係止部は、前記張力付与部の開口端縁に引っ掛け可能に折り返して形成された第１のヒューズ取付用工具と、
前記弾性受け部に係止する第１係止部と、前記張力付与部に係止する第２係止部とが板状部材に連結された第２のヒューズ取付用工具であって、
第１係止部は、前記弾性受け部の開口端縁に引っ掛け可能に折り返して形成され、
第２係止部は、前記張力付与部の開口端縁に引っ掛け可能に折り返して形成された第２のヒューズ取付用工具とを備え、
第１のヒューズ取付用工具と第２のヒューズ取付用工具とが一体的に構成されたことを特徴とするヒューズ取付用工具。
【請求項３】
筒体、該筒体の一端部に設けられる端子、該端子に電気的に接続されるとともに、筒体の他端部から導出されるリード線により構成されるヒューズが、前記リード線を他端側の開口部から外部に引き出した状態で収容される筒状の収容部と、
該収容部の一端側の開口部を閉塞するように設けられ、前記ヒューズの端子に電気的に接続される一方の電極部と、
前記収容部に固定されるとともに、弾性部材が設けられる筒状の弾性受け部と、
前記収容部に対して移動自在に設けられるとともに、前記弾性部材の放勢力によって弾性受け部から離間する方向に付勢される筒状の張力付与部と、
前記収容部または前記張力付与部に設けられ、前記弾性部材が蓄勢された状態の張力付与部に引っ掛けられた前記リード線が電気的に接続される他方の電極部とを有するヒューズ装置に、前記ヒューズを取り付ける際に使用されるヒューズ取付用工具において、
前記弾性受け部に係止する第１係止部と、前記張力付与部に係止する第２係止部とが板状部材に連結され、
第１係止部は、前記弾性受け部の開口端縁に引っ掛け可能に折り返して形成され、
第２係止部は、前記張力付与部の開口端縁に引っ掛け可能に折り返して形成されたことを特徴とするヒューズ取付用工具。
【請求項４】
それぞれにおける前記第１係止部および前記第２係止部は、先端部が、該先端に向かうにしたがって大きく開口するように折り曲げられて形成されることを特徴とする請求項１乃至３のいずれか１項に記載のヒューズ取付用工具。
【請求項５】
折り曲げられた前記第１係止部および前記第２係止部の少なくともいずれか一方の先端部の対向面には、張力付与部の外面および内面、もしくは、弾性受け部の外面および内面に対応した係止面が形成されることを特徴とする請求項１乃至４のいずれか１項に記載のヒューズ取付用工具。
【手続補正２】
【補正対象書類名】明細書
【補正対象項目名】００２２
【補正方法】変更
【補正の内容】
【００２２】
前記課題を解決するために、本発明に係るヒューズ取付用工具は、筒体、該筒体の一端部に設けられる端子、該端子に電気的に接続されるとともに、筒体他端部から導出されるリード線により構成されるヒューズが、前記リード線を他端側の開口部から外部に引き出した状態で収容される筒状の収容部と、該収容部の一端側の開口部を閉塞するように設けられ、前記ヒューズの端子に電気的に接続される一方の電極部と、前記収容部に固定されるとともに、弾性部材が設けられる弾性受け部と、前記収容部に対して移動自在に設けられるとともに、前記弾性部材の放勢力によって弾性受け部から離間する方向に付勢される筒状の張力付与部と、前記収容部または前記張力付与部に設けられ、前記弾性部材が蓄勢された状態の張力付与部に引っ掛けられた前記リード線が電気的に接続される他方の電極部とを有するヒューズ装置に、前記ヒューズを取り付ける際に使用されるヒューズ取付用工具において、前記弾性受け部に係止する第１係止部と、前記張力付与部に係止する第２係止部とが板状部材に連結され、第１係止部は、一対の折曲部を有し、前記収容部の外周に着脱可能に構成されるとともに、一対の折曲部の離間した両先端から前記収容部が出し入れ可能に構成され、且つ前記収容部の外周を挟み込み可能に構成され、第２係止部は、前記張力付与部の開口端縁に引っ掛け可能に折り返して形成されたことを特徴とする。
【手続補正３】
【補正対象書類名】明細書
【補正対象項目名】００２４
【補正方法】変更
【補正の内容】
【００２４】
また、本発明によれば、筒体、該筒体の一端部に設けられる端子、該端子に電気的に接続されるとともに、筒体他端部から導出されるリード線により構成されるヒューズが、前記リード線を他端側の開口部から外部に引き出した状態で収容される筒状の収容部と、該収容部の一端側の開口部を閉塞するように設けられ、前記ヒューズの端子に電気的に接続される一方の電極部と、前記収容部に固定されるとともに、弾性部材が設けられる弾性受け部と、前記収容部に対して移動自在に設けられるとともに、前記弾性部材の放勢力によって弾性受け部から離間する方向に付勢される筒状の張力付与部と、前記収容部または前記張力付与部に設けられ、前記弾性部材が蓄勢された状態の張力付与部に引っ掛けられた前記リード線が電気的に接続される他方の電極部とを有するヒューズ装置に、前記ヒューズを取り付ける際に使用されるヒューズ取付用工具において、前記弾性受け部に係止する第１係止部と、前記張力付与部に係止する第２係止部とが板状部材に連結された第１のヒューズ取付用工具であって、第１係止部は、一対の折曲部を有し、前記収容部の外周に着脱可能に構成されるとともに、一対の折曲部の離間した両先端から前記収容部が出し入れ可能に構成され、且つ前記収容部の外周を挟み込み可能に構成され、第２係止部は、前記張力付与部の開口端縁に引っ掛け可能に折り返して形成された第１のヒューズ取付用工具と、前記弾性受け部に係止する第１係止部と、前記張力付与部に係止する第２係止部とが板状部材に連結された第２のヒューズ取付用工具であって、第１係止部は、前記弾性受け部の開口端縁に引っ掛け可能に折り返して形成され、第２係止部は、前記張力付与部の開口端縁に引っ掛け可能に折り返して形成された第２のヒューズ取付用工具とを備え、第１のヒューズ取付用工具と第２のヒューズ取付用工具とが一体的に構成されたことを特徴とする。
【手続補正４】
【補正対象書類名】明細書
【補正対象項目名】００２６
【補正方法】変更
【補正の内容】
【００２６】
また、本発明によれば、筒体、該筒体の一端部に設けられる端子、該端子に電気的に接続されるとともに、筒体他端部から導出されるリード線により構成されるヒューズが、前記リード線を他端側の開口部から外部に引き出した状態で収容される筒状の収容部と、
該収容部の一端側の開口部を閉塞するように設けられ、前記ヒューズの端子に電気的に接続される一方の電極部と、前記収容部に固定されるとともに、弾性部材が設けられる筒状の弾性受け部と、前記収容部に対して移動自在に設けられるとともに、前記弾性部材の放勢力によって弾性受け部から離間する方向に付勢される筒状の張力付与部と、前記収容部または前記張力付与部に設けられ、前記弾性部材が蓄勢された状態の張力付与部に引っ掛けられた前記リード線が電気的に接続される他方の電極部とを有するヒューズ装置に、前記ヒューズを取り付ける際に使用されるヒューズ取付用工具において、前記弾性受け部に係止する第１係止部と、前記張力付与部に係止する第２係止部とが板状部材に連結され、第１係止部は、前記弾性受け部の開口端縁に引っ掛け可能に折り返して形成され、第２係止部は、前記張力付与部の開口端縁に引っ掛け可能に折り返して形成されたことを特徴とする。
【手続補正５】
【補正対象書類名】明細書
【補正対象項目名】００２８
【補正方法】変更
【補正の内容】
【００２８】
また、本発明によれば、それぞれにおける前記第１係止部および前記第２係止部は、先端部が、該先端に向かうにしたがって大きく開口するように折り曲げられて形成されるような構成を採用することもできる。
【手続補正６】
【補正対象書類名】明細書
【補正対象項目名】００３０
【補正方法】変更
【補正の内容】
【００３０】
また、本発明によれば、折り曲げられた前記第１係止部および前記第２係止部の少なくともいずれか一方の先端部の対向面には、張力付与部の外面および内面、もしくは、弾性受け部の外面および内面に対応した係止面が形成されるような構成を採用することもできる。